(57)【要約】【課題】引出し形受配電機器を盤外から配電盤に搬入する際に、鎖錠金具が鎖錠位置に引き出されたままの状態で搬入作業を進めても、支障なく受配電機器を盤内の指定位置に押込み移動できるようにする。【解決手段】クレードルに搭載して盤内に収容した引出し形受配電機器（真空遮断器）３を引出しハンドルの操作により運転／試験位置に移動して掛止，鎖錠する鎖錠装置であって、クレードルの底部にロック板８を配置し、機器台車の前端にはロック板８に掛止する昇降式のインターロックロッド９に連繋したインターロックレバー１０、該インターロックレバーの操作端に横並びして設置した引出しハンドルの受金６、および運転／試験位置で受金６およびインターロックレバー１０の操作端を上方から覆う鎖錠位置に引出して南京錠１３で施錠する鎖錠金具８を備えたものにおいて、鎖錠金具８の一端を受金６の前面にヒンジ結合し、そのヒンジ軸１２ｅを支点に待機位置から鎖錠位置に向け垂直面上に沿って回動可能に配置する。【選択図】        図１
2008113525.tif 000002
【特許請求の範囲】
【請求項１】
クレードルに搭載して盤内に収容した引出し形受配電機器を引出しハンドルの操作により「運転位置」，「試験位置」に移動して掛止，鎖錠する引出し形受配電機器の鎖錠装置であり、クレードルの底部にロック板を配置し、受配電機器の台車前端部には前記ロック板に掛止する昇降式のインターロックロッドに連繋した手動操作式のインターロックレバー、該インターロックレバーの側方に横並びして設置した引出しハンドル用受金、および運転／試験位置で前記受金およびインターロックレバーの操作端を上方から覆う鎖錠位置に引出して施錠する鎖錠金具を備えたものにおいて、
前記鎖錠金具の一端を前記受金の前面にヒンジ結合し、そのヒンジ軸を支点に待機位置から鎖錠位置に向け垂直面上の移動経路に沿って回動可能に配置するものとし（請求項１）、具体的には次記のような態様で構成する。
【請求項２】
請求項１に記載の鎖錠装置において、鎖錠金具が引出しハンドル用受金の前面および上面を覆う断面逆Ｌ字形の板金品になり、その前面壁の一端を前記受金の前面に植設した支軸を介してヒンジ結合するとともに、上面壁の先端をインターロックレバーの操作端に向けて延在させたことを特徴とする引出し形受配電機器の鎖錠装置。
【請求項３】
請求項１または２に記載の鎖錠装置において、受配電機器の「運転位置」，「試験位置」で、鎖錠位置にセットした鎖錠金具と引出しハンドル用受金との間に跨がり南京錠を掛けて鎖錠金具を鎖錠位置に施錠するようにしたことを特徴とする引出し形受配電機器の施錠装置。
【発明の詳細な説明】
【技術分野】
【０００１】
本発明は、引出し形の高圧真空遮断器などを対象に、クレードルに搭載して配電盤に収容した引出し形受配電機器の鎖錠装置に関する。
【背景技術】
【０００２】
まず、頭記の高圧真空遮断器を対象に、従来における引出し形受配電機器の構成を図５〜図７に、またその引出し操作機構を図８，図９で説明する。
図５〜図７において、１は配電盤、２は盤内に設置したクレードル、３はクレードル２に搭載した引出し形の真空遮断器、３ａは台車３ｂに積載した遮断部（真空バルブ）、３ｃは台車３ｂの車輪、３ｄは遮断部のＯＮ，ＯＦＦ操作ボタン、３ｅは引出し用の把手、４はクレードル２の後部に配して前記遮断部３ａの導出端子に接続する主回路断路部、５は盤内の主回路母線である。
【０００３】
上記の真空遮断器３はクレードル２の底板２ａに敷設したレールに沿って前後へ移動可能にガイドされており、図５に示す「運転位置」Ａでは主回路断路部４が閉路し、「試験位置」Ｂに引き出すと断路部４が断路することは周知の通りである。
ここで、真空遮断器３を盤内の「運転位置」Ａと「試験位置」Ｂとの間で移動するには、図８で詳記するように先端が“く”字形に曲がった梃子式の引出しハンドル７を使用し、この引出しハンドル７を台車３ｂの前端面に設けた受金６のハンドル挿入穴６ａに嵌挿してハンドル先端をクレードル２の底部に布設したロック板８の穴に差し込み、ここを支点としてハンドル７を矢印方向に傾動して真空遮断器３を「運転位置」Ａと「試験位置」Ｂとの間で押込み，引出し操作するようにしている。
【０００４】
また、真空遮断器３を盤内の「運転位置」Ａ，「試験位置」Ｂで掛止するために、図８，図９で詳記するように、台車３ｂには昇降式のインターロックロッド９、および操作端を台車３ｂの前端面から前方に引き出して前記ロッド９に連繋させたインターロックレバー１０を装備し、さらにインターロックロッド９の下端に対向してクレードル２の底部に布設した台形状のロック板８には「運転位置」Ａ，「試験位置」Ｂと対応する箇所にインターロックロッド９が嵌合する掛止穴８ａ，８ｂが開口している。
【０００５】
上記の構成により、外部から盤内に搬入した真空遮断器３を「試験位置」Ｂに移動すると、インターロックロッド９の先端が前記したロック板８の掛止穴８ｂに落ち込んでこの位置に掛止される。また、真空遮断器３を「試験位置」Ｂから「運転位置」Ａに移動するには、インターロックレバー１０を手動により持ち上げてインターロックロッド９をロック板８から引き外した上で、前記した引出しハンドル７の操作により盤内の奥に押し込む。これにより、押込み移動の途上でインターロックロッド９がロック板８の掛止穴８ａに落ち込んで真空遮断器３が「運転位置」Ａに掛止され、同時に主回路断路部４が閉路となる。
【０００６】
なお、図８，図９において、８ｃは引出しハンドル７の先端を差し込む挿入穴（梃子支点）、８ｄはロック板８から前方に延在するスロープ状の乗り上げガイド、８ｅはロック板８をクレードル２の底板２ａに固定する締結ボルトである。また、図８において、６ｂは受金６を台車３ｂに固定するボルト、３ｂ−１は台車３ｂの底部に設けてインターロックロッド９を上下スライド可能に案内する支持枠である。さらに、図７で示すようにロック板８の側方には「運転位置」Ａ，「試験位置」Ｂに対応した位置検出スイッチ１１ａ，１１ｂを備えている。
【０００７】
一方、盤内に収容した真空遮断器３を指定の「運転位置」Ａ，「試験位置」Ｂから管理者の許可なしに勝手に移動すると、作業中の保守員が活線に触れて感電したり、配電システムに重大な障害が発生したりするおそれがある。そこで、その安全対策として真空遮断器３を「運転位置」Ａ，「試験位置」Ｂに掛止して勝手に移動きないよう施錠しておくロック手段を備えるようにしており、そのロック手段として「運転位置」Ａ，「試験位置」Ｂで前記受金６に南京錠を掛けて施錠する鎖錠金具を設け、この施錠状態では引出しハンドル７（図８参照）の挿入，およびインターロックレバー１０の押し上げ操作を阻止するようにした機械式の鎖錠装置が先に提案されており（非特許文献１参照）、次にその鎖錠装置の構造を図１０，図１１に示す。
【０００８】
各図において１２が前記した引出し機構に追加装備した鎖錠金具であり、図１０（ａ），（ｂ）に示す例では受金６の上面に配した鎖錠金具１２を鎖線で示す待機位置と実線で示す鎖錠位置との間で矢印Ｐ方向へスライド可能に案内支持している（横スライド方式）。この構成で、鎖錠金具６を鎖錠位置（実線）に引き出しセットすると、鎖錠金具１２が受金６の板面に開口した引出しハンドル挿入穴６ａ覆うとともに、受金６の左側に横並びしているインターロックレバー１０の操作端の上に突き出して該レバーの持ち上げ操作を阻止する。そして、この鎖錠位置では南京錠１３を鎖錠金具１２と受金６との間に掛けて鎖錠位置に施錠するようにしている。なお、図１０で、１２ａは鎖錠金具１２の支持部、１２ｂは受金６の締結ボルト６ｂに嵌合して鎖錠金具１２を左右へスライド可能に案内する長穴、１２ｃは引出しハンドル７の挿入穴、６ｃ，１２ｄは南京錠の掛け穴である。
【０００９】
また、図１１の例では鎖錠金具１２を回動式（水平回動方式）として、該鎖錠金具の一端コーナーを受金６の上面に植設した縦向きの支軸１２ｅを介してヒンジ結合しており、該支軸１２ｅを支点にして鎖線で示す待機位置から矢印Ｐ方向に水平面上を回動して実線で示す鎖錠位置に引き出すようしている。
上記の構成により、真空遮断器の「運転位置」，「試験位置」で鎖錠金具１２を待機位置（鎖線）から引き出して鎖錠位置（実線）にセットすると、受金６のハンドル挿入穴６ａが塞がれて引出しハンドルを挿入できなくなるとともに、インターロックレバー１０が下降位置に押さえ込まれる。また、この状態で南京錠１３を掛けると鎖錠金具１２がこの鎖錠位置に施錠される。これにより、真空遮断器を指定位置に掛止，鎖錠して操作ミスによる移動を防止できる。
【非特許文献１】発明協会公開技報  公技番号２０００−６２１７号
【発明の開示】
【発明が解決しようとする課題】
【００１０】
ところで、図１０，図１１に示した従来構造の鎖錠装置は、その取扱い性の面で次記のような問題点がある。
すなわち、盤外から配電盤に真空遮断器を搬入する際に、通常は図１０，図１１に示した鎖錠金具１２を待機位置に後退させておくが、誤って鎖錠金具１２を鎖錠位置に引き出してインターロックレバー１０を下降位置に押さえ込んだまま真空遮断器の搬入作業を進めると、その搬入途上でインターロックレバー１０に連繋したインターロックロッド９が図８に示したロック板８の乗り上げガイド８ｄに沿ってそのスロープ面上に押し上げられるようになる。このために、鎖錠金具１２にはインターロックレバー１０を介して上方に押し上げる荷重が加わるようになり、真空遮断器を勢いよく盤内に押し込んだりすると、前記の押し上げ荷重で鎖錠金具１２あるいはインターロックレバー１０が変形したり、その部品に連繋した機構が破損したりするおそれがある。
【００１１】
本発明は上記の点に鑑みなされたものであり、その目的は前記課題を解決し、盤外から引出し形受配電機器（真空遮断器）を配電盤に搬入する際に先記の鎖錠金具が鎖錠位置にセットされたままの状態であっても、支障なく受配電機器を盤内の指定位置に押込み移動できるよう改良した引出し形受配電機器の鎖錠装置を提供することにある。
【課題を解決するための手段】
【００１２】
上記目的を達成するために、本発明によれば、クレードルに搭載して盤内に収容した引出し形受配電機器を引出しハンドルの操作により「運転位置」，「試験位置」に移動して掛止，鎖錠する引出し形受配電機器の鎖錠装置であって、クレードルの底部にロック板を配置し、受配電機器の台車前端部には前記ロック板に掛止する昇降式のインターロックロッドに連繋した手動操作式のインターロックレバー、該インターロックレバーの側方に横並びして設置した引出しハンドル用受金、および運転／試験位置で前記受金およびインターロックレバーの操作端を上方から覆う鎖錠位置に引出して施錠する鎖錠金具を備えたものにおいて、
前記鎖錠金具の一端を前記受金の前面にヒンジ結合し、そのヒンジ軸を支点に待機位置から鎖錠位置に向け垂直面上の移動経路に沿って回動可能に配置するものとし（請求項１）、具体的には次記のような態様で構成する。
（１）前記の鎖錠金具は、引出しハンドル用受金の前面および上面を覆う断面逆Ｌ字形の板金品で、その前面壁の一端を前記受金の前面に植設した支軸を介してヒンジ結合するとともに、上面壁の先端を受金の側方に横並びするインターロックレバーの操作端の上面に向けて延在させる（請求項２）。
（２）受配電機器の「運転位置」，「試験位置」で、鎖錠位置にセットした前記の鎖錠金具と引出しハンドル用受金との間に跨がり南京錠を掛けて鎖錠金具を鎖錠位置に施錠させるようにする（請求項３）。
【発明の効果】
【００１３】
上記の構成によれば、盤外から受配電機器（真空遮断器）を盤内に搬入する際に、南京錠を掛けずに鎖錠金具を鎖錠位置にセットしたままの状態で押し込んだ場合でも、その移動途上でクレードルの底部に布設したロック板にインターロックロッドが乗り上げてこれに連繋したインターロックレバーが上昇移動すると、該レバーの操作端上に寄り掛かっている鎖錠金具はヒンジ軸を支点に上方へ回動する。したがって、インターロックレバーと鎖錠金具との間に無理な荷重が加わることがなくなる。
【００１４】
また、盤内に搬入した受配電機器が「試験位置」に移動してインターロックロッドがロック板の掛止穴に嵌まり込んで掛止され、この動きに伴い上昇していたインターロックレバーが下降すると、いままで持ち上げられていた鎖錠金具も自重により元の位置に戻る。そして、この位置で鎖錠金具と受金との間に南京錠を掛けることで、受配電機器がこの位置から移動操作できないように鎖錠される。
【発明を実施するための最良の形態】
【００１５】
以下、本発明の実施の形態を図１〜図４に示す実施例に基づいて説明する。なお、実施例の図中で図８〜図１１に対応する部材には同じ符号を付してその説明は省略する。
すなわち、図示実施例では、引出し形真空遮断器３の台車３ｂに引出しハンドル７（図８参照）に対応する受金６，インターロックロッド９，インターロックレバー１０，および鎖錠金具１２を設けるとともに、前記引出しハンドル７，インターロックロッド８に対向してクレードル２（図５参照）の底部２ａにロック板８を布設した鎖錠装置において、従来装置における横スライド方式（図１０参照）、水平回動方式（図１１参照）の鎖錠金具を、垂直面回動方式の鎖錠金具１２に代えて構成しており、次にその詳細構造を図１に示す。
【００１６】
図１（ａ），（ｂ）において、操作端を台車３ｂの前方に引出したインターロックレバー１０と横並びして台車の前端面に設けた引出しハンドル用受金６は、左右側壁を前方に突き出して台車３ｂに固定したコ字形の基板と、その左右側壁の間に跨がり支軸１４ａを介して回転自在に架設した引出しハンドルのガイドローラ１４とからなり、その右側側壁の前縁から側方に張り出した耳部の板面には後記する鎖錠金具１２のヒンジ軸１２ｅが前後の向きに植設され、左側側壁の前縁から前方に突き出した耳部には南京錠１３を掛ける錠穴６ｃが開口している。なお、前記のガイドローラ１４は図８，図９に示した受金６に形成したハンドル挿入穴６ａに対応するもので、盤内に搬入した真空遮断器３を「試験位置」から「運転位置」に押し込む場合には引出しハンドルを前方からガイドローラ１４に押し当てて梃子式に押込み、「運転位置」から「試験位置」に引き出す場合には引出しハンドルをガイドローラ１４の背後に差し込んで手前に引き寄せる。これにより引出しハンドルの梃子操作による真空遮断器３の押込み，引出しが楽に行える。
【００１７】
一方、前記受金６に組み付ける鎖錠金具１２は断面逆Ｌ字形の板金加工品で、その前面壁部の右端から側方に張り出す耳部がヒンジ軸１２ｅを介して前記受金６にヒンジ結合されており、左端から前方に突き出した耳部に南京錠１３を掛ける錠穴１２ｄが開口している。さらに上面壁部は受金６の左側に横並びするインターロックレバー１０の操作端に向けて延在している。なお、図４は鎖錠金具１２のヒンジ結合構造を表す図（図１（ｂ）の矢視Ｘ−Ｘ断面図）であり、１２ｅ−１はヒンジ軸１２ｅに遊嵌した間隔管、１２ｅ−２は座金、１２ｅ−３はばね座金である。
【００１８】
上記の構成により、図示のようにインターロックロッド９をクレードルの底部に布設したロック板８に掛止した位置で、鎖錠金具１２を受金６の上に重ね合わせるようにセットすると、鎖錠金具１２が受金６の上面を覆うとともに、インターロックレバー１０の操作端の上方に突き出す。そして、この状態で受金６と鎖錠金具１２との間に跨がって南京錠１３を掛けて施錠することにより、インターロックレバー１０の押し上げ，および受金６への引出しハンドルの差し込みが阻止されて真空遮断器がこの位置に鎖錠される。
【００１９】
また、前記の鎖錠を解除するには、図１（ｂ）の鎖錠状態から南京錠１３を外した上で、図２で示すように鎖錠金具１２をヒンジ軸１２ｅの回りに時計方向に回動して待機位置に移す。これにより、インターロックレバー１０の押し上げ、および引出しハンドルの操作による真空遮断器の移動が可能となる。
次に、盤外から真空遮断器３を配電盤１（図５参照）の盤内に搬入する際の移動途上における鎖錠金具１２の挙動を図３により説明する。
【００２０】
すなわち、先述したように従来構造の鎖錠装置（図１０，図１１参照）では、左右スライド方式，あるいは水平回転方向の鎖錠金具１２を鎖錠位置に引き出してインターロックレバー１０を下降位置に押さえ込んだまま真空遮断器の搬入作業を進めると、搬入途上でのインターロックレバー１０の上昇に伴い鎖錠金具１２に上向きの荷重が掛かり、そのために真空遮断器を勢いよく盤内に押し込んだりすると鎖錠金具１２あるいはインターロックレバー１０が変形したり破損したりするおそれがある。
【００２１】
これに対して、図示実施例の構造では、鎖錠金具１２が受金６の前面に植設したヒンジ軸１２ｅを支点として垂直面上で回転自在に配置されている。したがって、図３で示すように南京錠を掛けずに鎖錠金具１２を図示の鎖錠位置に引出しセットしたままの状態で真空遮断器を盤内に搬入した場合でも、その移動途上でインターロックロッド９がロック板８に乗り上げてインターロックレバー１０が上昇すると、これに従動してインターロックレバー１０の操作端の上に寄り掛かっている鎖錠金具１２はヒンジ軸１２ｅの回りに回動する。これにより、インターロックレバー１０の上昇が阻害されることもなく、また鎖錠金具１２が不当に変形するおそれもなしに真空遮断器を支障なく盤内に搬入できる。
【００２２】
この搬入過程で、真空遮断器が盤内の「試験位置」Ｂ（図５参照）に到達してインターロックロッド９がロック板８の掛止穴に落ち込むとインターロックレバー１０が下降位置に戻るので、これに従動して鎖錠金具１２は自重により当初の位置（図１（ｂ）参照）に復帰する。また、この位置で受金６と鎖錠金具１２に南京錠１３を掛けると図１の施錠状態となる。
【００２３】
なお、図示実施例では引出し形の受配電機器として真空遮断器の鎖錠装置を例示したがこれに限定されるものではなく、他の引出し形回路遮断器，接地装置などに対しても同様に実施適用することができる。
【図面の簡単な説明】
【００２４】
【図１】本発明の実施例による鎖錠装置の構成図で、（ａ），（ｂ）はそれぞれ受金と鎖錠金具との間に南京錠を掛けた施錠状態での側面図，および正面図
【図２】図１の鎖錠金具を待機位置に後退させた状態での鎖錠装置の正面図
【図３】図１の鎖錠装置において、受配電機器を盤内に搬入する際の移動途上における鎖錠金具の挙動を表す動作説明図
【図４】図１における矢視Ｘ−Ｘの拡大断面図
【図５】クレードルに搭載して配電盤に収容した引出し形真空遮断器の全体構成を表す側面図
【図６】図５の正面図
【図７】図５の平面図
【図８】図５における移動操作機構の詳細構造を表す側面図
【図９】図８の平面図
【図１０】図８の移動操作機構に鎖錠金具を追加した従来例の構造図で、（ａ）は正面図，（ｂ）は平面図
【図１１】図１０と異なる従来例の平面図
【符号の説明】
【００２５】
１    配電盤
２    クレードル
３    真空遮断器（受配電機器）
４    主回路断路部
６    引出しハンドル用の受金
７    引出しハンドル
８    ロック板
９    インターロックロッド
１０    インターロックレバー
１２    鎖錠金具
１２ｅ  ヒンジ軸
１３    南京錠
【図１】
2008113525.tif 000003
【図２】
2008113525.tif 000004
【図３】
2008113525.tif 000005
【図４】
2008113525.tif 000006
【図５】
2008113525.tif 000007
【図６】
2008113525.tif 000008
【図７】
2008113525.tif 000009
【図８】
2008113525.tif 000010
【図９】
2008113525.tif 000011
【図１０】
2008113525.tif 000012
【図１１】
2008113525.tif 000013